(57)【要約】      （修正有）【課題】一つの飲料水用サーバーを、卓上使用と床置き使用など異なる状況においても使用できるようにする。【解決手段】サーバー本体２４に貯水タンク設け、その貯水タンクに飲料水ｗを供給する容器を前記サーバー本体２４に設け、前記貯水タンクに接続した送水管に供給バルブ７，８を設けた飲料水用サーバー２０において、前記サーバー本体２４の下部にスペーサ２１を着脱可能とし、そのスペーサ２１を取付けて使用する場合と取り外して使用する場合とで、前記供給バルブ７，８及び前記容器の高さを調整できるようにした。スペーサ２１の着脱により、使用状況に応じた使い分けができるので、スペーサ２１を取付ければ、飲料水用サーバー２０を床に直接置いた状態で使用でき、スペーサ２１を取り外せば、飲料水用サーバー２０を卓上に置いた状態で使用できる構成とし得る。【選択図】図１
0003143767.tif 000002
【実用新案登録請求の範囲】
【請求項１】
サーバー本体２４に貯水タンク１０設け、その貯水タンク１０に飲料水ｗを供給する容器１を前記サーバー本体２４に設け、前記貯水タンク１０に送水管１２を接続してその送水管１２に供給バルブ７，８を設け、その供給バルブ７，８を操作することにより、前記貯水タンク１０内に貯留した飲料水ｗを外部に供給できるようにした飲料水用サーバー２０において、
前記サーバー本体２４の下部にスペーサ２１を着脱可能とし、そのスペーサ２１を取付けて使用する場合と取り外して使用する場合とで、前記供給バルブ７，８及び前記容器１の高さを調整できるようにしたことを特徴とする飲料水用サーバー。
【請求項２】
前記スペーサ２１を前記サーバー本体２４の下部に取付けた際に飲料水用サーバー２０を床に直接置いた状態で使用できるようにし、前記スペーサ２１を取り外した際には飲料水用サーバー２０を卓上に置いた状態で使用できるようにしたことを特徴とする飲料水用サーバー。
【請求項３】
前記サーバー本体２４と前記スペーサ２１とは、その対向面２４ａ，２１ａ間に設けた係止手段３０によって水平方向及び上下方向に不動に固定可能であることを特徴とする請求項１又は２に記載の飲料水用サーバー。
【請求項４】
前記サーバー本体２４及び前記スペーサ２１の下部にそれぞれ基台２２を着脱可能とし、前記スペーサ２１を取付けて使用する際には、前記基台２２は前記スペーサ２１の下部に取付けられ、前記スペーサ２１を取り外して使用する際には、前記基台２２は前記サーバー本体２４の下部に直接取付けられることを特徴とする請求項１乃至３のいずれかに記載の飲料水用サーバー。
【請求項５】
前記サーバー本体２４と前記基台２２、及び、前記スペーサ２１と前記基台２２とは、それぞれその対向面２４ａ，２２ａ；２１ｂ，２２ａ間に設けた係止手段３０によって水平方向及び上下方向に不動に固定可能であることを特徴とする請求項４に記載の飲料水用サーバー。
【請求項６】
前記係止手段３０は、一方の前記対向面に設けられて前記一方の対向面よりも凹んだ底部３８ｃを有する凹溝部３８と、その凹溝部３８に隣接して設けられて前記底部３８ｃよりも他方の前記対向面側に突出しその内側に前記凹溝部３８内に臨む空間を備えた係止部３７とを有する凹側係止ユニット３９と、前記他方の対向面に設けられて前記他方の対向面よりも前記一方の対向面側に突出する横方向の差込板３３を有する凸側係止ユニット３４とを備え、前記凹溝部３８内に前記差込板３３を入り込ませた後、前記両対向面同士を水平方向にスライドさせることにより、前記差込板３３が前記係止部３７の内側の空間に入り込んで、その差込板３３が、前記係止部３７の内面３７ｃと、前記凹溝部３８の底部３８ｃとに摺接することを特徴とする請求項３又は５に記載の飲料水用サーバー。
【請求項７】
前記係止手段３０は、一方の前記対向面に設けられて前記一方の対向面よりも凹んだ底部３８ｃを有する複数の凹溝部３８と、隣り合う前記凹溝部３８，３８間に設けられて前記各底部３８ｃ，３８ｃよりも他方の前記対向面側に突出しその内側に前記各凹溝部３８内に臨む空間を備えた係止部３７とを有する凹側係止ユニット３９と、前記他方の対向面に設けられて前記他方の対向面よりも前記一方の対向面側に突出する横方向の差込板３３を有する凸側係止ユニット３４とを備え、前記凹溝部３８内に前記差込板３３を入り込ませた後、前記両対向面同士を水平方向にスライドさせることにより、前記差込板３３が前記係止部３７の内側の空間に入り込んで、その差込板３３が、前記係止部３７の内面３７ｃと、前記差込板３３を最初に入り込ませた前記凹溝部３８の底部３８ｃ、及びその凹溝部３８に隣り合う前記凹溝部３８の底部３８ｃに摺接することを特徴とする請求項３又は５に記載の飲料水用サーバー。
【請求項８】
前記差込板３３の先端３３ａを、前記他方の対向面に向かって傾斜させたことを特徴とする請求項７に記載の飲料水用サーバー。
【請求項９】
前記差込板３３の傾斜した先端３３ａは、前記凹溝部３８の底部３８ｃに当たることにより、その差込板３３自身を前記底部３８ｃから離れる方向に押し上げて、両係止ユニット３４，３９同士の固定を強固にする機能を有することを特徴とする請求項８に記載の飲料水用サーバー。
【請求項１０】
前記差込板３３の先端３３ａに向かい合う側の前記底部３８ｃの端部３８ａを、前記他方の対向面に向かって傾斜させたことを特徴とする請求項６乃至９のいずれかに記載の飲料水用サーバー。
【請求項１１】
前記底部３８ｃの傾斜した端部３８ａは、前記両対向面同士を水平方向にスライドさせた際に、前記差込板３３の先端３３ａと前記凹溝部３８の底部３８ｃとが突き当たる時の衝撃を軽減する機能を有することを特徴とする請求項１０に記載の飲料水用サーバー。
【請求項１２】
前記係止手段３０は、前記両対向面にそれぞれ立ち上げられて向かい合う垂直板３１，３６を備え、前記向かい合う垂直板３１，３６のうち外側に位置する前記垂直板３１にボルト用貫通孔３１ａを、内側に位置する前記垂直板３６にはその内周面にネジ溝を有するネジ孔３６ａを形成し、前記ボルト用貫通孔３１ａを通じて前記ネジ孔３６ａにボルト３５をねじ込むことにより、前記ボルト３５が前記両垂直板３１，３６同士を近づけるように前記両係止ユニット３４，３９を水平方向に相対移動させることを特徴とする請求項６乃至１１のいずれかに記載の飲料水用サーバー。
【請求項１３】
前記係止手段３０は、前記両対向面にそれぞれ立ち上げられて向かい合う垂直板３２，３６を備え、前記向かい合う垂直板３２，３６のうち外側に位置する前記垂直板３２に、その内周面にネジ溝を有するネジ孔３２ａを形成し、前記ネジ孔３２ａにボルト３５をねじ込むことにより、前記ボルト３５の先端が内側に位置する前記垂直板３６の外面に当たって、その両垂直板３２，３６同士を遠ざけるように前記両係止ユニット３４，３９を水平方向に相対移動させることを特徴とする請求項６乃至１２のいずれかに記載の飲料水用サーバー。
【考案の詳細な説明】
【技術分野】
【０００１】
この考案は、ミネラルウォーター等の飲料水をタンク内に貯留した後、その貯留した飲料水を適宜供給できるようにした飲料水用サーバーに関するものである。
【背景技術】
【０００２】
従来の一般的な飲料水用サーバー２は、例えば、図１２に示すように、貯水タンク１０から上方に伸びる導水管１１に容器１が着脱可能であり、その容器１内の飲料水ｗが、導水管１１を通じて貯水タンク１０内へ流下するようになっている。
飲料水用サーバー２は、例えば、図１１に示すように、容器収納部３及びサーバー本体４を備え、その容器収納部３の内部に前記容器１が、サーバー本体４の内部に前記貯水タンク１０が収納されている。
【０００３】
図１２（ｂ）に示すように、容器１内の飲料水ｗが貯水タンク１０に向かって徐々に流下していくとともに、前記貯水タンク１０内の空気が前記容器１内に流入する。また、貯水タンク１０内に飲料水ｗが流入することにより、その貯水タンク１０内の空気が通気孔１０ａから外部に排出され、図１２（ｃ）に示すように、貯水タンク１０内に所定の水量が貯留される。
【０００４】
貯水タンク１０から送水管１２が引き出されており、その送水管１２に開閉自在の供給バルブ７が設けられている。供給バルブ７を開放すれば、貯水タンク１０内の飲料水ｗが適宜外部へ供給でき、また、供給バルブ７を閉鎖すれば、その供給が止まるようになっている。
【０００５】
なお、貯水タンク１０に冷却装置を設けて、その貯水タンク１０内の飲料水ｗを冷却して冷水として供給する場合のほか、その貯水タンク１０とは別に加熱装置を備えた貯水タンク１０を設けて、図１１（ａ）（ｂ）に示すように、別の供給バルブ８から温水を提供できるようにした飲料水用サーバーもある（例えば、特許文献１参照）。
【０００６】
また、飲料水ｗの供給源である前記容器（給水タンク）１を、サーバー本体４内の最下部に設けて、その容器１内の飲料水ｗを、ポンプ等によってサーバー本体４内の上方に設けた冷水タンク、温水タンクに供給するものもある（例えば、特許文献２参照）。
【０００７】
【特許文献１】特開２００７−５７２１９号公報
【特許文献２】特開２００７−１５７０６号公報
【考案の開示】
【考案が解決しようとする課題】
【０００８】
従来の飲料水用サーバー２は、例えば、図１１（ａ）に示すように、テーブル等の台９の上に置いて、すなわち卓上に載置して使用するタイプ（以下、「卓上タイプ」という）のものと、図１１（ｂ）に示すように、床面上に直接載置して使用するタイプ（以下、「床置きタイプ」という）のものとがある。この２種類のタイプの飲料水用サーバー２は、飲料水ｗを提供する場所の状況等に応じて、最適なタイプのものが選択されている。
【０００９】
しかし、状況の変化により、例えば、床置きタイプの飲料水用サーバー２を、卓上に置いて使用したいという事情が発生する場合もある。床置きタイプの飲料水用サーバー２は背丈が高いので、それを卓上に置くと、供給バルブ７，８の位置が高くなってしまい、使い勝手の悪いものとなってしまう。また、容器１の位置も高くなるので、その着脱に支障をきたしてしまうことから、この点においても、使い勝手の悪いものとなってしまう。
【００１０】
これは、供給バルブ７，８は、人の手が届く位置に設けられていなければ容易に操作できず、また、飲料水ｗが出てくる位置が高すぎれば、飲料水ｗが出てくる状況を目視で確認することができないからである。
また、容器１には、例えば、２０リットル程度の飲料水が封入されていて重いため、その装着位置が高いと、容器１の着脱に大きな支障をきたすからである。
【００１１】
また、使用状況に応じて、２種類の飲料水用サーバー２をそれぞれ設計し、製造することは、部品の共通化、製造工程の共通化等の観点から、必ずしも今日のコストダウンの要請に応えることができないものである。また、消費者の立場からも、室内装飾の変更や引越し等の使用状況の変化の際に、飲料水用サーバーを買い替えるのは不経済であるから、使用状況の変化があっても買い換えの必要のない経済的で利便性の高い商品が望まれる。
【００１２】
そこで、この考案は、一つの飲料水用サーバーを、卓上使用と床置き使用など異なる状況においても使用できるようにすることを課題とする。
【課題を解決するための手段】
【００１３】
上記の課題を解決するために、この考案は、サーバー本体に貯水タンク設け、その貯水タンクに飲料水を供給する容器を前記サーバー本体に設け、前記貯水タンクに送水管を接続してその送水管に供給バルブを設け、その供給バルブを操作することにより、前記貯水タンク内に貯留した飲料水を外部に供給できるようにした飲料水用サーバーにおいて、前記サーバー本体の下部にスペーサを着脱可能とし、そのスペーサを取付けて使用する場合と取り外して使用する場合とで、前記供給バルブ及び前記容器の高さを調整できるようにした構成を採用した。
【００１４】
この構成によれば、スペーサの着脱によって、サーバー本体の高さ、すなわち、飲料水用サーバーの下端位置（床、台、テーブル上などに据付ける際の載置面）からの前記供給バルブの高さ、および、前記容器の高さを調節することができる。
このため、飲料水用サーバーを置く場所に応じて、供給バルブが容易に操作できる高さになるよう、また、容器の着脱に支障のない高さになるように、スペーサを取付けたり、あるいは、取り外したり、その使い分けが可能となる。また、異なる高さのスペーサを用意しておき、それらを選択的に使用すれば、さらにきめ細かな高さの調整が可能となる。
【００１５】
この着脱自在のスペーサを用い、例えば、前記スペーサを前記サーバー本体の下部に取付けた際に飲料水用サーバーを床に直接置いた状態で使用できるようにし、前記スペーサを取り外した際には飲料水用サーバーを卓上に置いた状態で使用できるようにした構成とすることができる。
【００１６】
すなわち、スペーサを取付ければ、飲料水用サーバーを床に直接置いた状態で、前記供給バルブを容易に操作できるともに、その供給バルブを床付近から遠ざけることができる。衛生上、供給バルブは、床面からある程度離れている方が望ましい。
また、スペーサを取り外せば、飲料水用サーバーを卓上に置いた状態で、前記供給バルブを容易に操作できるとともに、卓上に置いた後も容器の位置が高くなりすぎず、その容器の着脱に支障をきたさない高さを維持できる。
このように、一つのサーバー本体を、床置きタイプと卓上タイプの双方に共通して使用できる。
【００１７】
また、前記サーバー本体と前記スペーサとは、その対向面間に設けた係止手段によって水平方向及び上下方向に不動に固定可能である構成を採用することができる。
このようにすれば、サーバー本体とスペーサとが一体となって、装置の移動の際等に便利である。
【００１８】
また、前記サーバー本体及び前記スペーサの下部にそれぞれ基台を着脱可能とし、前記スペーサを取付けて使用する際には、前記基台は前記スペーサの下部に取付けられ、前記スペーサを取り外して使用する際には、前記基台は前記サーバー本体の下部に直接取付けられる構成を採用することができる。
このようにすれば、卓上及び床置きのいずれの場合においても、最下部に基台が介在するので、サーバー本体の載置がしっかりとしたものとなる。なお、基台には、その下面にゴム等の緩衝材、あるいは回転自在の車輪（コロ）等を設けることもできる。
【００１９】
さらに、その基台を用いる構成においては、前記サーバー本体と前記基台、及び、前記スペーサと前記基台とは、それぞれその対向面間に前記係止手段を設けても良い。係止手段は、両者を水平方向及び上下方向に不動に固定可能とするものである。
【００２０】
また、その係止手段として、例えば、以下の構成を採用することができる。
すなわち、その係止手段は、一方の前記対向面に設けられて前記一方の対向面よりも凹んだ底部を有する凹溝部と、その凹溝部に隣接して設けられて前記底部よりも他方の前記対向面側に突出しその内側に前記凹溝部内に臨む空間を備えた係止部とを有する凹側係止ユニットと、前記他方の対向面に設けられて前記他方の対向面よりも前記一方の対向面側に突出する横方向の差込板を有する凸側係止ユニットとを備え、前記凹溝部内に前記差込板を入り込ませた後、前記両対向面同士を水平方向にスライドさせることにより、前記差込板が前記係止部の内側の空間に入り込んで、その差込板が、前記係止部の内面と、前記凹溝部の底部とに摺接する構成のものである。
【００２１】
この構成によれば、前記差込板が、前記凹溝部の底部と前記係止部の内面とに摺接することによって、固定使用とする部材同士を上下方向に不動に固定できる。その固定の際に、両対向面同士を水平方向にスライドさせるだけでよいので、固定しようとする部材同士を上下方向のボルトで連結するなど、面倒な作業、複雑な固定機構を必要としない。
また、前記差込板が前記凹溝部内に入り込むことによって、両対向面同士が水平方向に位置決めされるので、その後、差込板が係止部の内側へ入り込むのがスムースである。
【００２２】
また、他の構成からなる係止手段として、一方の前記対向面に設けられて前記一方の対向面よりも凹んだ底部を有する複数の凹溝部と、隣り合う前記凹溝部間に設けられて前記各底部よりも他方の前記対向面側に突出しその内側に前記各凹溝部内に臨む空間を備えた係止部とを有する凹側係止ユニットと、前記他方の対向面に設けられて前記他方の対向面よりも前記一方の対向面側に突出する横方向の差込板を有する凸側係止ユニットとを備え、前記凹溝部内に前記差込板を入り込ませた後、前記両対向面同士を水平方向にスライドさせることにより、前記差込板が前記係止部の内側の空間に入り込んで、その差込板が、前記係止部の内面と、前記差込板を最初に入り込ませた前記凹溝部の底部、及びその凹溝部に隣り合う前記凹溝部の底部に摺接する構成のものである。
【００２３】
この構成によれば、前記差込板が、前記係止部の内面に摺接するとともに、その係止部の両側において前記凹溝部の底部に摺接するので、前記固定がさらにしっかりとしたものとなる。
【００２４】
さらに、前記差込板の先端を、前記他方の対向面に向かって傾斜させた構成を採用することができる。
【００２５】
この差込板の先端が傾斜していれば、その傾斜した先端は、前記凹溝部の底部に当たることにより、その差込板自身を前記底部から離れる方向に押し上げて、両係止ユニット同士の固定を強固にする機能を有するものとすることができる。
すなわち、その傾斜した先端が凹溝部の底部からの反力を受けて、その差込板自身を前記底部から離れる方向に押し上げ、差込板が係止部の内面に押し付けられることにより、両対向面間のがたつきを押えることができる。
【００２６】
また、前記差込板の先端に向かい合う側の前記底部の端部を、前記他方の対向面に向かって傾斜させた構成を採用することができる。
【００２７】
この底部の端部が傾斜していれば、前記両対向面同士を水平方向にスライドさせた際に、前記差込板の先端と前記凹溝部の底部とが突き当たる時の衝撃を軽減する機能を有するものとすることができる。
また、底部の端部が傾斜していれば、前記スライドの際に、前記水平板が前記差込板の内側に入り込みやすい。
【００２８】
さらに、前記係止手段として、前記両対向面にそれぞれ立ち上げられて向かい合う垂直板を備え、前記向かい合う垂直板のうち外側に位置する前記垂直板にボルト用貫通孔を、内側に位置する前記垂直板にはその内周面にネジ溝を有するネジ孔を形成し、前記ボルト用貫通孔を通じて前記ネジ孔にボルトをねじ込むことにより、前記ボルトが前記両垂直板同士を近づけるように前記両係止ユニットを水平方向に相対移動させる構成を採用することができる。
【００２９】
この構成によれば、係止部に対して差込板を所定の位置までスライドさせる際に、大きな力を必要とすることなく、そのボルトのねじ込みによって速やかにスライドさせることができる。
また、スライドが完了した後は、前記ボルトはそのままにしてもよいし、前記差込板と凹溝部の底部との摺接による摩擦力等によって、両係止ユニット同士が不動に固定できている場合には、前記ボルトは取り外しても良い。
【００３０】
さらに、前記係止手段として、前記両対向面にそれぞれ立ち上げられて向かい合う垂直板を備え、前記向かい合う垂直板のうち外側に位置する前記垂直板に、その内周面にネジ溝を有するネジ孔を形成し、前記ネジ孔にボルトをねじ込むことにより、前記ボルトの先端が内側に位置する前記垂直板の外面に当たって、その両垂直板同士を遠ざけるように前記両係止ユニットを水平方向に相対移動させる構成を採用することができる。
【００３１】
この構成によれば、係止部から差込板を抜き取る際に、大きな力を必要とすることなく、そのボルトのねじ込みによって速やかにスライドさせることができる。
すなわち、これらの垂直板とボルトとの組合わせによって、大きな力を必要とすることなく、両係止ユニットを強固に固定することができ、且つ、強固な固定であってもそれらを容易に分離できるようになる。
【考案の効果】
【００３２】
この考案は、スペーサの着脱によって、サーバー本体の高さ、すなわち供給バルブの高さが調節できるようにしたので、一つの飲料水用サーバーを、卓上使用と床置き使用など異なる状況においても使用できる。
【考案を実施するための最良の形態】
【００３３】
この考案の実施形態を図面に基づいて説明する。サーバー本体２４内における飲料水ｗの供給機構については、従来例と同様であるので説明を省略し、以下、サーバー本体２４、スペーサ２１、基台２２の構成を中心に述べる。
【００３４】
図１（ａ）〜（ｄ）は、この実施形態の飲料水用サーバー２０を示している。サーバー本体２４内に貯水タンク１０が設けられ、そのサーバー本体２４の上部の容器収納部２３内に容器１が収納されている。
容器１内の飲料水ｗは、貯水タンク１０内に流下して供給されるようになっている（例えば、図１２参照）。
【００３５】
そのサーバー本体２４の下部にスペーサ２１が着脱自在である。スペーサ２１は、サーバー本体２４と同一の水平断面を有する箱状の部材である。
そのスペーサ２１を、前記サーバー本体２４の下部に取付けて、さらにそのスペーサ２１の下に基台２２を取付ければ、図１（ａ）に示すように、飲料水用サーバー２０を床に直接置いた状態で、前記供給バルブ７，８を操作できるようになる。「床に直接置く・・・」とは、テーブル等の台９を介さずに、その飲料水用サーバーを床面上に載置する趣旨である。
【００３６】
また、図１（ｂ）に示すように、サーバー本体２４からスペーサ２１及び基台２２を取り外し、その後、図１（ｃ）（ｄ）に示すように、前記サーバー本体２４の下部に基台２２を直接取付ければ、飲料水用サーバー２０を卓上に置いた状態で前記供給バルブ７，８を操作できるようになる。また、スペーサ２１を取り外したことにより容器１の位置が高くなりすぎず、容器１の着脱に支障をきたさない高さが維持できる。
【００３７】
すなわち、一つのサーバー本体２４を、床置きタイプと卓上タイプの双方に共通して使用できるのである。
【００３８】
このサーバー本体２４と前記スペーサ２１とは、その対向面２４ａ，２１ａ間に設けた係止手段３０によって水平方向及び上下方向に不動に固定可能となっている。
【００３９】
また、前記サーバー本体２４と前記基台２２、及び、前記スペーサ２１と前記基台２２とは、それぞれその対向面２４ａ，２２ａ；２１ｂ，２２ａ間に設けた係止手段３０によって、水平方向及び上下方向に不動に固定可能となっている。
【００４０】
この係止手段３０の構成について説明すると、この実施形態では、前記サーバー本体２４と前記スペーサ２１との対向面２４ａ，２１ａ間、前記サーバー本体２４と前記基台２２との対向面２４ａ，２２ａ間、及び、前記スペーサ２１と前記基台２２との対向面間２１ｂ，２２ａ、いずれの対向面間にも、同一の構成からなる係止手段３０が設けられている。
【００４１】
図５は、スペーサ２１の上面（前記対向面）２１ａに設けられた係止手段３０を示している。プレート状の凹側係止ユニット３９が、スペーサ２１の上部に埋め込まれて固定されている。なお、基台２２の上面（前記対向面）２２ａに設けられる凹側係止ユニット３９の構成も同一のものである。
【００４２】
凹側係止ユニット３９は、図５に示すように、複数の凹溝部３８を備えている。凹溝部３８は、スペーサ２１の上面２１ａよりも深さｖ１だけ凹んでおり、その底部３８ｃは水平面となっている。また、その凹溝部３８は、図３に示すように、その底部３８ｃの幅方向両端が垂直部３８ｂ，３８ｂで支えられた下向き断面コ字状の部材で構成されている。
【００４３】
また、その凹溝部３８の長さ方向に隣り合う前記凹溝部３８，３８間には、その各凹溝部３８，３８の底部３８ｃ，３８ｃよりも上方（サーバー本体２４側）に突出し、その内側に前記各凹溝部３８，３８内に臨む空間を備えた係止部３７を備えている。係止部３７は水平な板状部材で構成され、その外面３７ｂは、前記スペーサ２１の上面２１ａと面一となっている。
【００４４】
図６は、サーバー本体２４の下面（前記対向面）２４ａに設けられた係止手段３０を示している。プレート状の凸側係止ユニット３４が、サーバー本体２４の下部に埋め込まれて固定されている。なお、スペーサ２１の下面（前記対向面）２１ｂに設けられる係止手段３０の構成も同一のものである。
【００４５】
凸側係止ユニット３４は、図６に示すように、サーバー本体２４の下面２４ａとの間に隙間ｖ２を有する水平な差込板３３を複数備えている。
【００４６】
この差込板３３と前記凹溝部３８とは、対応する箇所に設けられているので、図４（ａ）に矢印ｇで示すように、サーバー本体２４の下面２４ａとスペーサ２１の上面２１ａ同士を接近させれば、前記凹溝部３８内に前記差込板３３がすっぽりと入り込んで、両係止ユニット３４，３９同士が水平方向に位置決めされる。
【００４７】
その後、図４（ｂ）に矢印ｈで示すように、前記下面２４ａと上面２１ａとが水平方向に相対移動するようにスライドさせれば、前記差込板３３が前記係止部３７の内側の空間に入り込む。その差込板３３の内面（この実施例では上面）３３ｂが、前記係止部３７の内面（この実施例では下面）３７ｃと摺接し、また、その差込板３３の外面（この実施例では下面）３３ｃが、前記差込板３３を最初に入り込ませた前記凹溝部３８の底部３８ｃ、及びその凹溝部３８に隣り合う前記凹溝部３８の底部３８ｃに摺接する。この摺接により、サーバー本体２４とスペーサ２１とは、上下方向に不動に固定される。
すなわち、差込板３３の外面３３ｃが、前記係止部３７の内面３７ｃ、前記差込板３３を最初に入り込ませた前記凹溝部３８の底部３８ｃ、及びその凹溝部３８に隣り合う前記凹溝部３８の底部３８ｃに接していることにより、両係止ユニット３４，３９同士が不動に固定される。
【００４８】
このとき、前記差込板３３の先端３３ａに向かい合う側の前記凹溝部３８の底部３８ｃの端部３８ａが、下方に傾斜しているので、差込板３３が凹溝部３８内に入り込みやすい。
【００４９】
また、差込板３３の先端３３ａが、下方に傾斜しているので、その先端３３ａは、図４（ｃ）に示すように、前記凹溝部３８の底部３８ｃに当たることにより、その差込板３３自身を上方へ（前記底部３８ｃから離れる方向へ）押し上げる。このため、差込板３３の内面３３ｂと、前記係止部３７の内面３７ｃとの密着度合いが高まり、両係止ユニット３４，３９同士が、より強固に固定できるようになっている。
【００５０】
さらに、前記係止手段３０は、図４（ｃ）に示すように、前記両対向面にそれぞれ立ち上げられて向かい合う１組の垂直板３１，３６を備えている。また、その垂直板３１，３６とは別に、もう１組の垂直板３２，３６を備えている。
【００５１】
前記サーバー本体２４側の垂直板３１は、図３に示すように、そのサーバー本体２４の下面に形成された凹部３１ｂの端面壁で構成されている。別の場所に設けられている垂直板３２についても同様に、凹部３２ｂの端面壁で構成されている。
また、スペーサ２１側の２箇所の垂直板３６，３６は、図３に示すように、そのスペーサ２１の上面２１ａに固定されたＬ型金具の立上がり部材で構成されている。
【００５２】
垂直板３１，３６のうち、外側に位置する前記垂直板３１にボルト用貫通孔３１ａが形成されている。ボルト用貫通孔３１ａには、ねじ溝は形成されていない。
また、内側に位置する前記垂直板３６には、その内周面にネジ溝を有するネジ孔３６ａが形成されている。
【００５３】
前記ボルト用貫通孔３１ａを通じて、前記ネジ孔３６ａにボルト３５をねじ込むことにより、前記ボルト３５が前記両垂直板３１，３６同士を近づけるように前記両係止ユニット３４，３９を水平方向に相対移動させるので、差込板３３を係止部３７の内側に完全に入り込ませることが可能である。
【００５４】
図１０（ａ）（ｂ）（ｃ）は、両係止ユニット３４，３９のスライドにより、差込板３３が係止部３７の内側に徐々に入り込んでいく状態を示しており、両係止ユニット３４，３９の水平方向（前記凹溝部３８の長さ方向）の偏倚量ｗ１がｗ２に減少して、最後にその偏倚量がゼロとなれば、差込板３３が係止部３７の内側に完全に入り込んで、両係止ユニット３４，３９同士の固定が完了する。
【００５５】
また、もう１組の垂直板３２，３６のうち、外側に位置する前記垂直板３２に、その内周面にネジ溝を有するネジ孔３２ａが形成されている。前記ネジ孔３２ａにボルト３５をねじ込むことにより、前記ボルト３５の先端が内側に位置する前記垂直板３６の外面に当たって、その両垂直板３２，３６同士を遠ざけるように前記両係止ユニット３４，３９を水平方向に相対移動させることが可能である。
【００５６】
図１０（ｄ）（ｅ）（ｆ）は、両係止ユニット３４，４９のスライドにより、差込板３３が係止部３７の内側から徐々に抜け出す状態を示しており、両係止ユニット３４，３９の水平方向の偏倚量が徐々に増加して、最後にその偏倚量がｗ３となれば、差込板３３が係止部３７の内側から完全に抜け出して取り外しが完了する。
【００５７】
なお、図７及び図８は、スペーサ２１と基台２２とを接続する際の構成を示したものである。スペーサ２１の下面２１ｂと基台２２の上面２２ａとの間に設けられる係止手段３０については、図３及び図４に示す構成と同一である。
また、サーバー本体２４の下部に、基台２２を直接接続する際の構成についても、この図７及び図８と同様である。
このスペーサ２１と基台２２間に設けられる係止手段３０、及び、サーバー本体２４と基台２２間に設けられる係止手段３０の着脱の手順は、前述のサーバー本体２４とスペーサ２１との固定に関する上記の説明と同様である。
【００５８】
図９は、この実施形態の飲料水用サーバー２０の全体図である。上記で説明した係止手段３０を構成する両係止ユニット３４，３９が、それぞれ、サーバー本体２４とスペーサ２１との対向面２４ａ，２１ａ間、及びスペーサ２１と基台２２との対向面２１ｂ，２２ａ間、及び、スペーサ２１を介在させず、サーバー本体２４に基台２２を直接取付ける際には、そのサーバー本体２４と基台２２との対向面２４ａ，２１ａ間に介在することを示している。
【００５９】
床置きタイプとして使用していた飲料水用サーバー２０を、卓上タイプとして使用できるように仕様変更する際には、図２及び図１０の手順で行うこととなる。
【００６０】
図１（ａ）、図２（ａ）は、床置きタイプとして使用する状態の飲料水用サーバー２０を示している。
【００６１】
サーバー本体２４からのスペーサ２１の取り外しは、まず、図１０（ｄ）（ｅ）（ｆ）の手順で行う。
前記垂直板３２のネジ孔３２ａにボルト３５をねじ込み、スペーサ２１に対してサーバー本体２４を図２（ｂ）に矢印ａで示す方向にスライドさせる。このスライドに先立って、ボルト３５は、前記垂直板３１側より取り外されている（図１０（ｄ）参照）。
【００６２】
スペーサ２１に対するサーバー本体２４のスライドにより、差込板３３が係止部３７の内側から抜け出すので、サーバー本体２４は、図２（ｃ）に矢印ｂで示すように、上方へ離脱できる。このため、サーバー本体２４をスペーサ２１から切り離して、図２（ｄ）に示すように、単体の状態とし得る。
【００６３】
つぎに、基台２２とスペーサ２１とを切り離す。その手法は、サーバー本体２４とスペーサ２１との切り離しの場合と同様に図１０（ｄ）（ｅ）（ｆ）の手順で行われ、ボルト３５を緩めて取り外した後、図２（ｅ）（ｆ）にそれぞれ矢印ｃ、矢印ｄで示すように、基台２２からスペーサ２１を離脱させる。
【００６４】
つぎに、基台２２を、サーバー本体２４の下部に直接取付ける。その取付けは、図２（ｇ）に矢印ｅで示すように基台２２上にサーバー本体２４を載せ、その後、図２（ｈ）に矢印ｆで示す方向にスライドさせる。最後に、図１０（ａ）（ｂ）（ｃ）の手順でボルト３５をねじ込んで、図２（ｉ）でに示す卓上タイプとして作業を終了する。
【００６５】
なお、卓上タイプとして使用していた飲料水用サーバー２０を、床置きタイプとして使用できるように仕様変更する際には、図２の逆の手順で行うとともに、その手順の各段階で、図１０に示す両係止ユニット３４，３９の固定及び分離の手法を用いることとなる。
【００６６】
なお、この実施例では、前記差込板３３が、前記係止部３７の内面３７ｃに接するとともに、その係止部３７の両側において前記凹溝部３８，３８の底部３８ｃ，３８ｃに接する構成としたが、その差込板３３が、前記係止部３７のいずれか一方の側のみで、前記凹溝部３８の底部３８ｃに接した状態で固定される構成も考えられる。
例えば、差込板３３の外面３３ｃが、前記係止部３７の内面３７ｃと、その差込板３３を最初に入り込ませた前記凹溝部３８の底部３８ｃのみに接する構成が考えられる。あるいは、差込板３３の外面３３ｃが、前記係止部３７の内面３７ｃと、前記差込板３３が最初に入り込んだ凹溝部３８に隣り合う前記凹溝部３８の底部３８ｃにのみ接する構成が考えられる。
【００６７】
また、この実施例では、前記両係止ユニット３４，３９を、それぞれ、サーバー本体２４、スペーサ２１、基台２２に対して別体として、その別体の各係止ユニット３４，３９を、それぞれ、サーバー本体２４、スペーサ２１、基台２２に対して固定するようにしたが、これらの各係止ユニット３４，３９を、それぞれ、サーバー本体２４、スペーサ２１、基台２２に対して一体に形成してもよい。
また、前記両係止ユニット３４，３９を上下逆の配置にして使用してもよい。すなわち、前記凸側係止ユニット３４が下側の対向面に、前記凹側係止ユニット３９が上側の対向面に設けられた構成である。
【図面の簡単な説明】
【００６８】
【図１】一実施形態を示し、（ａ）は床置きタイプとして使用する状態の正面図、（ｂ）は（ａ）の分解図、（ｃ）は（ｂ）からスペーサを除去した状態を示す分解図、（ｄ）は卓上タイプとして使用する状態の正面図
【図２】（ａ）〜（ｉ）は、床置きタイプとして使用する状態の飲料水用サーバーと、卓上対応として使用できる状態に仕様変更する場合の手順を示す説明図
【図３】係止手段の要部拡大斜視図
【図４】（ａ）〜（ｃ）は、係止手段の作用を示す要部拡大側面図
【図５】スペーサの上面、又は基台の上面に設けられる係止手段を示し、（ａ）は平面図、（ｂ）は左側面図、（ｃ）は正面図
【図６】スペーサの下面、又はサーバー本体の下面に設けられる係止手段を示し、（ａ）は平面図、（ｂ）は左側面図、（ｃ）は正面図
【図７】係止手段の要部拡大斜視図
【図８】（ａ）〜（ｃ）は、係止手段の作用を示す要部拡大側面図
【図９】同実施形態の分解斜視図
【図１０】（ａ）〜（ｆ）は、係止手段の固定と分離の手順を示す説明図
【図１１】従来例の説明図
【図１２】従来例の説明図
【符号の説明】
【００６９】
１  容器
２，２０  飲料水用サーバー
３，２３  容器収納部
４，２４  サーバー本体
７，８  供給バルブ
１０  貯水タンク
２１  スペーサ
２１ａ，２２ａ  上面
２１ｂ，２４ａ  下面
２２  基台
３０  係止手段
３１，３２，３６  垂直板
３１ａ  ボルト用貫通孔
３１ｂ，３２ｂ  凹部
３２ａ，３６ａ  ネジ孔
３３  差込板
３３ａ  先端
３３ｂ  内面（上面）
３３ｃ  外面（下面）
３４  凸側係止ユニット
３９  凹側係止ユニット
３５  ボルト
３７  係止部
３７ｂ  外面
３７ｃ  内面
３８  凹溝部
３８ａ  端部
３８ｂ  垂直部
３８ｃ  底部
【図１】
0003143767.tif 000003
【図２】
0003143767.tif 000004
【図３】
0003143767.tif 000005
【図４】
0003143767.tif 000006
【図５】
0003143767.tif 000007
【図６】
0003143767.tif 000008
【図７】
0003143767.tif 000009
【図８】
0003143767.tif 000010
【図９】
0003143767.tif 000011
【図１０】
0003143767.tif 000012
【図１１】
0003143767.tif 000013
【図１２】
0003143767.tif 000014
【手続補正書】
【提出日】平成20年5月22日(2008.5.22)
【手続補正１】
【補正対象書類名】実用新案登録請求の範囲
【補正対象項目名】全文
【補正方法】変更
【補正の内容】
【実用新案登録請求の範囲】
【請求項１】
サーバー本体２４に貯水タンク１０設け、その貯水タンク１０に飲料水ｗを供給する容器１を前記サーバー本体２４に設け、前記貯水タンク１０に送水管１２を接続してその送水管１２に供給バルブ７，８を設け、その供給バルブ７，８を操作することにより、前記貯水タンク１０内に貯留した飲料水ｗを外部に供給できるようにした飲料水用サーバー２０において、
前記サーバー本体２４の下部にスペーサ２１を着脱可能とし、そのスペーサ２１を取付けて使用する場合と取り外して使用する場合とで、前記供給バルブ７，８及び前記容器１の高さを調整できるようにしたことを特徴とする飲料水用サーバー。
【請求項２】
前記スペーサ２１を前記サーバー本体２４の下部に取付けた際に飲料水用サーバー２０を床に直接置いた状態で使用できるようにし、前記スペーサ２１を取り外した際には飲料水用サーバー２０を卓上に置いた状態で使用できるようにしたことを特徴とする請求項１に記載の飲料水用サーバー。
【請求項３】
前記サーバー本体２４と前記スペーサ２１とは、その対向面２４ａ，２１ａ間に設けた係止手段３０によって水平方向及び上下方向に不動に固定可能であることを特徴とする請求項１又は２に記載の飲料水用サーバー。
【請求項４】
前記サーバー本体２４及び前記スペーサ２１の下部にそれぞれ基台２２を着脱可能とし、前記スペーサ２１を取付けて使用する際には、前記基台２２は前記スペーサ２１の下部に取付けられ、前記スペーサ２１を取り外して使用する際には、前記基台２２は前記サーバー本体２４の下部に直接取付けられることを特徴とする請求項１乃至３のいずれかに記載の飲料水用サーバー。
【請求項５】
前記サーバー本体２４と前記基台２２、及び、前記スペーサ２１と前記基台２２とは、それぞれその対向面２４ａ，２２ａ；２１ｂ，２２ａ間に設けた係止手段３０によって水平方向及び上下方向に不動に固定可能であることを特徴とする請求項４に記載の飲料水用サーバー。
【請求項６】
前記係止手段３０は、一方の前記対向面に設けられて前記一方の対向面よりも凹んだ底部３８ｃを有する凹溝部３８と、その凹溝部３８に隣接して設けられて前記底部３８ｃよりも他方の前記対向面側に突出しその内側に前記凹溝部３８内に臨む空間を備えた係止部３７とを有する凹側係止ユニット３９と、前記他方の対向面に設けられて前記他方の対向面よりも前記一方の対向面側に突出する横方向の差込板３３を有する凸側係止ユニット３４とを備え、前記凹溝部３８内に前記差込板３３を入り込ませた後、前記両対向面同士を水平方向にスライドさせることにより、前記差込板３３が前記係止部３７の内側の空間に入り込んで、その差込板３３が、前記係止部３７の内面３７ｃと、前記凹溝部３８の底部３８ｃとに摺接することを特徴とする請求項３又は５に記載の飲料水用サーバー。
【請求項７】
前記係止手段３０は、一方の前記対向面に設けられて前記一方の対向面よりも凹んだ底部３８ｃを有する複数の凹溝部３８と、隣り合う前記凹溝部３８，３８間に設けられて前記各底部３８ｃ，３８ｃよりも他方の前記対向面側に突出しその内側に前記各凹溝部３８内に臨む空間を備えた係止部３７とを有する凹側係止ユニット３９と、前記他方の対向面に設けられて前記他方の対向面よりも前記一方の対向面側に突出する横方向の差込板３３を有する凸側係止ユニット３４とを備え、前記凹溝部３８内に前記差込板３３を入り込ませた後、前記両対向面同士を水平方向にスライドさせることにより、前記差込板３３が前記係止部３７の内側の空間に入り込んで、その差込板３３が、前記係止部３７の内面３７ｃと、前記差込板３３を最初に入り込ませた前記凹溝部３８の底部３８ｃ、及びその凹溝部３８に隣り合う前記凹溝部３８の底部３８ｃに摺接することを特徴とする請求項３又は５に記載の飲料水用サーバー。
【請求項８】
前記差込板３３の先端３３ａを、前記他方の対向面に向かって傾斜させたことを特徴とする請求項７に記載の飲料水用サーバー。
【請求項９】
前記差込板３３の傾斜した先端３３ａは、前記凹溝部３８の底部３８ｃに当たることにより、その差込板３３自身を前記底部３８ｃから離れる方向に押し上げて、両係止ユニット３４，３９同士の固定を強固にする機能を有することを特徴とする請求項８に記載の飲料水用サーバー。
【請求項１０】
前記差込板３３の先端３３ａに向かい合う側の前記底部３８ｃの端部３８ａを、前記他方の対向面に向かって傾斜させたことを特徴とする請求項６乃至９のいずれかに記載の飲料水用サーバー。
【請求項１１】
前記底部３８ｃの傾斜した端部３８ａは、前記両対向面同士を水平方向にスライドさせた際に、前記差込板３３の先端３３ａと前記凹溝部３８の底部３８ｃとが突き当たる時の衝撃を軽減する機能を有することを特徴とする請求項１０に記載の飲料水用サーバー。
【請求項１２】
前記係止手段３０は、前記両対向面にそれぞれ立ち上げられて向かい合う垂直板３１，３６を備え、前記向かい合う垂直板３１，３６のうち外側に位置する前記垂直板３１にボルト用貫通孔３１ａを、内側に位置する前記垂直板３６にはその内周面にネジ溝を有するネジ孔３６ａを形成し、前記ボルト用貫通孔３１ａを通じて前記ネジ孔３６ａにボルト３５をねじ込むことにより、前記ボルト３５が前記両垂直板３１，３６同士を近づけるように前記両係止ユニット３４，３９を水平方向に相対移動させることを特徴とする請求項６乃至１１のいずれかに記載の飲料水用サーバー。
【請求項１３】
前記係止手段３０は、前記両対向面にそれぞれ立ち上げられて向かい合う垂直板３２，３６を備え、前記向かい合う垂直板３２，３６のうち外側に位置する前記垂直板３２に、その内周面にネジ溝を有するネジ孔３２ａを形成し、前記ネジ孔３２ａにボルト３５をねじ込むことにより、前記ボルト３５の先端が内側に位置する前記垂直板３６の外面に当たって、その両垂直板３２，３６同士を遠ざけるように前記両係止ユニット３４，３９を水平方向に相対移動させることを特徴とする請求項６乃至１２のいずれかに記載の飲料水用サーバー。